(57)【要約】【課題】揮発性有機化合物の吸着剤への吸着処理と揮発性有機化合物の吸着剤からの脱着処理とを各々に最適化する。【解決手段】ＶＯＣ含有ガスに含まれるＶＯＣを吸着剤４ｂに吸着させ、該吸着剤４ｂに吸着したＶＯＣを脱着ガスを用いて脱着して回収するＶＯＣ回収装置Ａであって、ＶＯＣ含有ガスが通過する吸着室１と、該吸着室１に配置され、吸着剤４ｂが充填された通気自在な吸着剤充填体４と、吸着室１とは別に配置され、脱着ガスを用いて吸着剤充填体４の吸着剤４ｂからＶＯＣを脱着する脱着室５と、吸着剤充填体４を吸着室１と脱着室５との間で移送する吸着剤移送装置６とを具備する。【選択図】図２
2009291685.tif 000002
【特許請求の範囲】
【請求項１】
処理対象ガスに含まれる揮発性有機化合物を所定の吸着剤に吸着させ、該吸着剤に吸着した揮発性有機化合物を所定の脱着ガスを用いて脱着して回収する揮発性有機化合物回収装置において、
内部に吸着剤が充填され、処理対象ガスが吸着剤の第1の断面を通過すると共に脱着ガスが第1の断面より小さな第２の断面を通過する処理室を備えることを特徴とする揮発性有機化合物回収装置。
【請求項２】
処理対象ガスに含まれる揮発性有機化合物を所定の吸着剤に吸着させ、該吸着剤に吸着した揮発性有機化合物を所定の脱着ガスを用いて脱着して回収する揮発性有機化合物回収装置において、
処理対象ガスが通過する吸着室と、
該吸着室に配置され、吸着剤が充填された通気自在な吸着剤充填体と、
吸着室とは別に配置され、脱着ガスを用いて吸着剤充填体の吸着剤から揮発性有機化合物を脱着する脱着室と、
吸着剤充填体を吸着室と脱着室との間で移送する吸着剤移送装置と
を具備することを特徴とする揮発性有機化合物回収装置。
【請求項３】
吸着剤を分割収納すると共に互いに隣接配置された複数の吸着剤充填体を備え、
吸着剤移送装置は、揮発性有機化合物を吸着した吸着剤充填体を吸着室から脱着室に順次移動させる
ことを特徴とする請求項２記載の揮発性有機化合物回収装置。
【請求項４】
吸着室内において吸着剤充填体を一定方向に巡回させる吸着剤巡回手段をさらに備え、
吸着剤移送装置は、特定の位置に移動してきた吸着剤充填体を脱着室に移動させることを特徴とする請求項３記載の揮発性有機化合物回収装置。
【請求項５】
吸着剤移送装置に代えて、脱着室を吸着室内に移送して吸着剤充填体を収容させる脱着室移送装置を備えることを特徴とする請求項２記載の揮発性有機化合物回収装置。
【請求項６】
吸着剤を分割収納すると共に互いに隣接配列された複数の吸着剤充填体と、
脱着室を吸着剤充填体の配列方向に沿って一定方向に巡回させる脱着室巡回手段をさらに備え、
脱着室移送装置と脱着室巡回手段とによって脱着室の巡回位置に符合する位置の吸着剤充填体を順次収容させることを特徴とする請求項５記載の揮発性有機化合物回収装置。
【請求項７】
脱着室は１本の吸着剤充填体を収容する容積を有することを特徴とする請求項２〜６の何れか一項に記載の揮発性有機化合物回収装置。
【請求項８】
吸着室は、処理対象ガスが通過する流路の一部であることを特徴とする請求項２〜７の何れか一項に記載の揮発性有機化合物回収装置。
【請求項９】
処理対象ガスに含まれる揮発性有機化合物を所定の吸着剤に吸着させ、該吸着剤に吸着した揮発性有機化合物を所定の脱着ガスを用いて脱着して回収する揮発性有機化合物回収方法において、
処理対象ガスが吸着剤の第1の断面を通過すると共に脱着ガスが第1の断面より小さな第２の断面を通過させることを特徴とする揮発性有機化合物回収方法。
【請求項１０】
処理対象ガスに含まれる揮発性有機化合物を所定の吸着剤に吸着させ、該吸着剤に吸着した揮発性有機化合物を所定の脱着ガスを用いて脱着して回収する揮発性有機化合物回収方法において、
揮発性有機化合物の吸着剤への吸着を所定の吸着室で行い、吸着剤を移動させることにより吸着室とは別に設けられた脱着室で吸着剤からの揮発性有機化合物の脱着を行うことを特徴とする揮発性有機化合物回収方法。
【請求項１１】
吸着剤を通気自在な複数の吸着剤容器に分割充填して吸着室内に収納し、揮発性有機化合物を吸着した吸着剤が充填された吸着剤容器を吸着室から脱着室に順次移動させて脱着処理する
ことを特徴とする請求項１０記載の揮発性有機化合物回収方法。
【請求項１２】
吸着室内において吸着剤容器を一定方向に巡回させ、特定の位置に移動してきた吸着剤容器を脱着室に移動させて脱着処理する
ことを特徴とする請求項１１記載の揮発性有機化合物回収方法。
【請求項１３】
吸着剤を移送することに代えて、脱着室を吸着室内に移送して吸着剤充填体を収容させることを特徴とする請求項１０記載の揮発性有機化合物回収方法。
【請求項１４】
吸着剤を通気自在な複数の吸着剤容器に分割充填して吸着室内に隣接配置し、
脱着室を吸着剤容器の配列方向に沿って一定方向に巡回させると共に脱着室の巡回位置に符合する位置の吸着剤充填体を脱着室に順次収容して脱着処理することを特徴とする請求項１３記載の揮発性有機化合物回収方法。
【請求項１５】
脱着室は１本の吸着剤容器を収容する容積を有することを特徴とする請求項１０〜１４の何れか一項に記載の揮発性有機化合物回収方法。
【請求項１６】
吸着室は、処理対象ガスが通過する流路の一部であることを特徴とする請求項１０〜１５の何れか一項に記載の揮発性有機化合物回収方法。
【発明の詳細な説明】
【技術分野】
【０００１】
本発明は、揮発性有機化合物回収装置及び方法に関する。
【背景技術】
【０００２】
下記特許文献１には、吸着剤が充填された所定容量の吸着塔を複数並列に設け、少なくとも２基の吸着塔を再生工程（ＶＯＣ（揮発性有機化合物）の吸着剤からの脱着工程）を実施させる一方、残りの吸着塔を吸着工程を実施させ、これら工程を順次切り替えることにより、揮発性有機化合物を含む処理対象ガスからＶＯＣを連続回収する技術が開示されている。吸着工程では、処理対象ガスを吸着塔に供給することにより吸着剤に吸着させ、一方、再生工程では、所定の再生ガスを吸着塔に供給して加温することにより吸着剤に吸着された揮発性有機化合物を脱着・回収する。このようなＶＯＣ連続回収技術では、処理対象ガスと再生ガスとが吸着塔内における吸着剤の同一断面を通過する。
また、下記特許文献２，３にも所定容量の吸着塔に充填された吸着剤を用いて揮発性有機化合物を回収する技術が加持されている。
【特許文献１】特開２００７−０５０３７９号公報
【特許文献２】特開２００７−０６９１５６号公報
【特許文献３】特開平０８−２８１０４４号公報
【発明の開示】
【発明が解決しようとする課題】
【０００３】
ところで、上記従来技術において、処理対象ガスが通過する吸着剤の大きさ（断面積）は、吸着工程における処理対象ガスの流量に基づいて決定される。すなわち、処理対象ガスの単位時間当たりの処理量を大きくするためには、吸着剤の断面積、つまり吸着塔の断面積を大きくする必要がある。これに対して、吸着剤におけるＶＯＣの吸着速度と脱着速度とは異なるので、脱着用の再生ガスの流量は、上記処理対象ガスの流量よりも少ない流量で十分である。
【０００４】
しかしながら、必要最低限の流量の再生ガスを吸着塔に供給した場合、再生ガスは、処理対象ガスと同一断面を通過するので、十分な流速が得られず脱着が不十分になったり、あるいは吸着剤の部位により異なる脱着率となるという問題がある。これとは逆に、再生ガスの流量を処理対象ガスの流量と同一とした場合には、必要以上の再生ガスを用意する必要があるので、VOC回収処理におけるエネルギ効率を低下させるという問題がある。
また、脱着時には吸着剤を再生ガスによって所定温度まで加熱する必要があるが、吸着塔内の熱容量が比較的大きなために加熱に時間を要するという問題点もある。
【０００５】
すなわち、従来のＶＯＣ連続回収技術は、吸着剤によるＶＯＣの吸着処理と吸着剤からのＶＯＣの脱着処理とを各々に最適化することができないと共に処理効率が悪いいう問題を有している。このような問題は、ＶＯＣ連続回収技術実用上、早急に解決すべき技術課題である。
【０００６】
本発明は、上述した事情に鑑みてなされたものであり、以下の点を目的とするものである。
（１）揮発性有機化合物の吸着剤への吸着処理と揮発性有機化合物の吸着剤からの脱着処理とを各々に最適化する。
（２）時間的あるいは/及びエネルギ的な処理効率を従来よりも向上させる。
【課題を解決するための手段】
【０００７】
上記目的を達成するために、本発明では、揮発性有機化合物回収装置に係る第１の解決手段として、処理対象ガスに含まれる揮発性有機化合物を所定の吸着剤に吸着させ、該吸着剤に吸着した揮発性有機化合物を所定の脱着ガスを用いて脱着して回収する揮発性有機化合物回収装置において、内部に吸着剤が充填され、処理対象ガスが吸着剤の第1の断面を通過すると共に脱着ガスが第1の断面より小さな第２の断面を通過する処理室を備える、という手段を採用する。
【０００８】
揮発性有機化合物回収装置に係る第２の解決手段として、処理対象ガスに含まれる揮発性有機化合物を所定の吸着剤に吸着させ、該吸着剤に吸着した揮発性有機化合物を所定の脱着ガスを用いて脱着して回収する揮発性有機化合物回収装置において、処理対象ガスが通過する吸着室と、該吸着室に配置され、吸着剤が充填された通気自在な吸着剤充填体と、吸着室とは別に配置され、脱着ガスを用いて吸着剤充填体の吸着剤から揮発性有機化合物を脱着する脱着室と、吸着剤充填体を吸着室と脱着室との間で移送する吸着剤移送装置とを具備する、という手段を採用する。
【０００９】
揮発性有機化合物回収装置に係る第３の解決手段として、上記第２の解決手段において、吸着剤を分割収納すると共に互いに隣接配置された複数の吸着剤充填体を備え、吸着剤移送装置は、揮発性有機化合物を吸着した吸着剤充填体を吸着室から脱着室に順次移動させる、という手段を採用する。
【００１０】
揮発性有機化合物回収装置に係る第４の解決手段として、上記第３の解決手段において、吸着室内において吸着剤充填体を一定方向に巡回させる吸着剤巡回手段をさらに備え、吸着剤移送装置は、特定の位置に移動してきた吸着剤充填体を脱着室に移動させる、という手段を採用する。
【００１１】
揮発性有機化合物回収装置に係る第５の解決手段として、上記第２の解決手段において、吸着剤移送装置に代えて、脱着室を吸着室内に移送して吸着剤充填体を収容させる脱着室移送装置を備える、という手段を採用する。
【００１２】
揮発性有機化合物回収装置に係る第６の解決手段として、上記第５の解決手段において、吸着剤を分割収納すると共に互いに隣接配列された複数の吸着剤充填体と、脱着室を吸着剤充填体の配列方向に沿って一定方向に巡回させる脱着室巡回手段をさらに備え、脱着室移送装置と脱着室巡回手段とによって脱着室の巡回位置に符合する位置の吸着剤充填体を順次収容させる、という手段を採用する。
【００１３】
揮発性有機化合物回収装置に係る第７の解決手段として、上記第２〜第６いずれかの解決手段において、脱着室は１本の吸着剤充填体を収容する容積を有する、という手段を採用する。
【００１４】
揮発性有機化合物回収装置に係る第８の解決手段として、上記第２〜第７いずれかの解決手段において、吸着室は、処理対象ガスが通過する流路の一部である、という手段を採用する。
【００１５】
また、本発明では、揮発性有機化合物回収方法に係る第１の解決手段として、処理対象ガスに含まれる揮発性有機化合物を所定の吸着剤に吸着させ、該吸着剤に吸着した揮発性有機化合物を所定の脱着ガスを用いて脱着して回収する揮発性有機化合物回収方法において、処理対象ガスが吸着剤の第1の断面を通過すると共に脱着ガスが第1の断面より小さな第２の断面を通過させる、という手段を採用する。
【００１６】
揮発性有機化合物回収方法に係る第２の解決手段として、処理対象ガスに含まれる揮発性有機化合物を所定の吸着剤に吸着させ、該吸着剤に吸着した揮発性有機化合物を所定の脱着ガスを用いて脱着して回収する揮発性有機化合物回収方法において、揮発性有機化合物の吸着剤への吸着を所定の吸着室で行い、吸着剤を移動させることにより吸着室とは別に設けられた脱着室で吸着剤からの揮発性有機化合物の脱着を行う、という手段を採用する。
【００１７】
揮発性有機化合物回収方法に係る第３の解決手段として、上記第２の解決手段において、吸着剤を通気自在な複数の吸着剤容器に分割充填して吸着室内に収納し、揮発性有機化合物を吸着した吸着剤が充填された吸着剤容器を吸着室から脱着室に順次移動させて脱着処理する、という手段を採用する。
【００１８】
揮発性有機化合物回収方法に係る第４の解決手段として、上記第３の解決手段において、吸着室内において吸着剤容器を一定方向に巡回させ、特定の位置に移動してきた吸着剤容器を脱着室に移動させて脱着処理する、という手段を採用する。
【００１９】
揮発性有機化合物回収方法に係る第５の解決手段として、上記第２の解決手段において、吸着剤を移送することに代えて、脱着室を吸着室内に移送して吸着剤充填体を収容させる、という手段を採用する。
【００２０】
揮発性有機化合物回収方法に係る第６の解決手段として、上記第５の解決手段において、吸着剤を通気自在な複数の吸着剤容器に分割充填して吸着室内に隣接配置し、脱着室を吸着剤容器の配列方向に沿って一定方向に巡回させると共に脱着室の巡回位置に符合する位置の吸着剤充填体を脱着室に順次収容して脱着処理する、という手段を採用する。
【００２１】
揮発性有機化合物回収方法に係る第７の解決手段として、上記第２〜第６いずれかの解決手段において、脱着室は１本の吸着剤容器を収容する容積を有する、という手段を採用する。
【００２２】
揮発性有機化合物回収方法に係る第８の解決手段として、上記第２〜第７いずれかの解決手段において、吸着室は、処理対象ガスが通過する流路の一部である、という手段を採用する。
【発明の効果】
【００２３】
本発明によれば、吸着剤において処理対象ガスの通過断面と脱着ガスの通過断面とを異なる断面に設定する、例えば脱着ガスの通過断面を処理対象ガスの通過断面よりも小さな断面に設定することができるので、揮発性有機化合物の吸着剤への吸着処理と揮発性有機化合物の吸着剤からの脱着処理とを各々に最適化することができると共に、時間的あるいは/及びエネルギ的な処理効率を従来よりも向上させることができる。
【発明を実施するための最良の形態】
【００２４】
以下、図面を参照して、本発明の実施形態について説明する。
〔第１実施形態〕
図１は、第１実施形態に係るＶＯＣ（揮発性有機化合物）回収装置Ａの構成を示す正面図、また図２は本ＶＯＣ回収装置Ａの側面図である。これら各図に示すように、本ＶＯＣ回収装置Ａは、処理対象ガスであるＶＯＣ含有ガスの流路に備えられ、ＶＯＣ含有ガスに含まれるＶＯＣを吸着・回収するものであり、吸着室１、巡回ベルト２Ａ、２つのスプロケット２Ｂ，２Ｂ、回転駆動部３、吸着剤充填体４、脱着室５、吸着剤移送装置６、クラッチドア７、脱着ガス供給装置８及び圧縮空気供給装置９を備えている。
【００２５】
吸着室１は、矩形状の断面を有する上記流路の一部に設けられ、当該流路と連通する開放空間である。この吸着室１内には、図示するように、巡回ベルト２Ａの外周に連接・装着された複数の吸着剤充填体４が収容されている。巡回ベルト２Ａは、上下一対のスプロケット２Ｂ，２Ｂに巻回されたチェーンであり、外周に所定間隔で設けられた保持具（図示略）によって複数の吸着剤充填体４を図示するように連接状態かつ着脱自在に支持する。
【００２６】
回転駆動部３は、上記一対のスプロケット２Ｂ，２Ｂの一方に回転動力を与えることにより、巡回ベルト２Ａに保持された吸着剤充填体４を矢印で示すように流路の延在方向に直交する方向に巡回させるものである。
なお、これら巡回ベルト２Ａ、スプロケット２Ｂ，２Ｂ及び回転駆動部３は、本実施形態における吸着剤巡回手段を構成する。
【００２７】
吸着剤充填体４は、図３にも示すように、四角柱形状に形成された吸着剤容器４ａ（吸着剤容器）と、該吸着剤容器４ａの内部に充填された粒状の吸着剤４ｂから構成されている。吸着剤容器４ａは、内部をＶＯＣ含有ガスが通過できるように通気自在に形成されている。すなわち、図３に示すように、吸着剤容器４ａにおいて巡回ベルト２Ａに接する面と当該面の対向面及び上記流路の延在方向に直交する２面には、内部をＶＯＣ含有ガスが通過できるように各々にメッシュ部４ｃが設けられている。このメッシュ部４ｃは、吸着剤４ｂの粒径よりも小さな穴が多数形成されたものであり、例えばパンチングメタルによって形成されている。吸着剤４ｂは、例えば活性炭である。なお、吸着剤容器４ａの形状、つまり吸着剤充填体４の形状は、四角柱形状以外の形状、例えば円柱形状や多角柱形状であっても良い。
【００２８】
このように、吸着室１内には巡回ベルト２Ａに隣接状態で支持された複数の吸着剤充填体４が隙間なく密に配置されており、この密に配置された複数の吸着剤充填体４は、ＶＯＣ含有ガスの流路に対して正対する状態、つまり当該流路を完全に遮る。したがって、上流側から流路内を流れてきたＶＯＣ含有ガスは、上述したように通気自在に形成された吸着剤充填体４内を通過して下流側に流れることになる。ここで、ＶＯＣ含有ガスが吸着剤充填体４を迂回して下流側に流れないように各吸着剤充填体４の表面あるいは吸着室１の内面には、ゴム等からなるシール材が設けられている。
【００２９】
脱着室５は、図２に示すように、吸着室１の最上部に隣接して設けられた四角柱形状の空間であり、クラッチドア７によって吸着室１と区切られている。この脱着室５は、１本の吸着剤容器４ａを収容する容積を備える。また、この脱着室５は、脱着ガスである水蒸気を脱着ガス供給装置８から取り入れると共に圧縮空気供給装置９から加圧空気を取り入れる流入口５ａが一端近傍に、また吸着剤容器４ａ内の吸着剤４ｂから脱着したＶＯＣを含むＶＯＣ含有水蒸気や加圧空気を外部に排気する排出口５ｂが他端近傍にそれぞれ設けられている。さらに、脱着室５の内面には、流入口５ａに供給された水蒸気（脱着ガス）が吸着剤充填体４を迂回して排出口５ｂ側に流れないように各吸着剤充填体４の表面に密着するシール材が設けられている。
【００３０】
吸着剤移送装置６は、このような脱着室５に吸着室１の最上部に位置する吸着剤容器４ａを移送するものであり、例えば後方から吸着剤容器４ａの端面を押圧することにより最上部に位置する１本の吸着剤容器４ａを吸着室１から脱着室５に移送する油圧シリンダである。なお、移送対象となる吸着室１の最上部に位置する吸着剤容器４ａは、巡回ベルト２との接続が解除された状態とされ、この状態において移送装置６によって脱着室５に移送される。
【００３１】
クラッチドア７は、図示するように吸着室１の上端部を支点として開閉動作するものであり、脱着室５と吸着室１とを区画あるいは連通常体とする。脱着ガス供給装置８は、脱着ガスである水蒸気を生成して脱着室５に供給するものであり、例えばボイラである。圧縮空気供給装置９は、外気を圧縮かつ加熱することにより、常圧よりも高い圧力かつ常温よりも高い温度に加熱された圧縮空気を生成するものであり、例えば加熱機能を備えた圧縮機である。
なお、上記各構成要件のうち、回転駆動部３、吸着剤移送装置６、クラッチドア７、脱着ガス供給装置８及び圧縮空気供給装置９は、図示しない制御装置によって統一的に制御される。
【００３２】
次に、このように構成された本ＶＯＣ回収装置ＡのＶＯＣ回収処理について詳しく説明する。本ＶＯＣ回収装置ＡにおけるＶＯＣ回収処理では、吸着室１における吸着工程と、吸着室１と脱着室５との間における吸着剤充填体４の移送工程と、脱着室５における脱着準備工程及び脱着工程とを順次繰り返すことにより、処理対象ガスであるＶＯＣ含有ガスからＶＯＣが回収される。以下、各工程の詳細について詳しく説明する。
【００３３】
〔吸着工程〕
吸着工程では、クラッチドア７が閉じることにより吸着室１と脱着室５とが完全に分離された状態とされる。そして、この状態において、回転駆動部３によって巡回ベルト２Ａが所定の時間間隔で間欠的に巡回しつつ流路から吸着室１にＶＯＣ含有ガスが供給される。そして、ＶＯＣ含有ガスは、自身の通路を全面的に塞ぐ状態に配置された各吸着剤充填体４内を通過して順次下流側に流れるが、この通過の際に各吸着剤充填体４内の吸着剤４ｂにＶＯＣが吸着される。すなわち、ＶＯＣ含有ガスは、吸着室１内において、各吸着剤充填体４内を上下方向に順次巡回する各吸着剤充填体４内に順次吸着されることによってＶＯＣが除去されて処理済ガスとして下流に排出される。
【００３４】
〔移送工程〕
このような吸着工程において、各吸着剤充填体４内の吸着剤４ｂにおけるＶＯＣの吸着量は、吸着工程の経過時間に応じて徐々に増大し、吸着能力が徐々に低下する。そして、吸着能力がある程度低下し、間欠的な巡回移動によって吸着室１の最上部に位置した吸着剤充填体４は、移動停止期間に巡回ベルト２Ａとの接続が乖離されると共にクラッチドア７が開放され、吸着室１と脱着室５とが連通状態となる。そして、上記吸着剤充填体４は、移送装置６によって吸着室１から脱着室５に移送され、脱着室５内に完全に収容されると、クラッチドア７が閉じて吸着室１と脱着室５とが分離される。
【００３５】
〔脱着準備工程〕
このような移送工程が終了すると、脱着準備工程において、例えば１００〜４００°Ｃに加熱された圧縮空気が圧縮空気供給装置９から脱着室５に供給されることによって脱着室５内が常圧よりも高い所定圧力かつ常温よりも高い所定温度まで加圧・加温される。脱着室５内の温度は、例えば１００°Ｃ以上まで加温される。
【００３６】
〔脱着工程〕
このような脱着準備工程が終了すると、圧縮空気供給装置９に代わって脱着ガス供給装置８から水蒸気が脱着室５に供給されることによって脱着工程に移行する。この脱着工程では、水蒸気の作用によって吸着剤４ｂからＶＯＣが脱着して水蒸気内に混入し、ＶＯＣ含有水蒸気として脱着室５から排出される。ここで、脱着工程の前工程である脱着準備工程において、脱着室５内は１００°Ｃ以上まで加熱されているので、脱着室５内で凝縮する水蒸気は、吸着剤４ｂを加熱するに要する熱量分のみであり、よって水蒸気の凝縮水をドレン水として処理する設備を極小化することができる。
【００３７】
〔移送工程〕
このような脱着工程においてＶＯＣが吸着剤４ｂから十分に脱着すると、脱着ガス供給装置８から脱着室５への水蒸気の供給が停止されると共にクラッチドア７が開放され、吸着室１と脱着室５とが再び連通状態となる。そして、脱着済みの吸着剤充填体４は、移送装置６によって脱着室５から吸着室１に移送され、吸着室１内に完全に収容されると、クラッチドア７が閉じて吸着室１と脱着室５とが分離され、さらに巡回ベルト２との接続が行われる。そして、この状態において、回転駆動部３によって巡回ベルト２が巡回して再びVOCの吸着に供される。
【００３８】
このような本実施形態によれば、以下のような効果を奏する。
（１）吸着工程を吸着室１で行い、脱着工程を脱着室５で行うので、各工程の自由度が従来よりも向上する。例えば、吸着室１におけるＶＯＣ含有ガスの通過断面積、つまり複数の吸着剤充填体４の側面からなる吸着剤４ｂの断面積は、１本の吸着剤充填体４を収容する脱着室５における水蒸気の通過断面積、つまり１本の吸着剤充填体４の端面からなる吸着剤４ｂの断面積とは異なる（小さい）ので、従来技術とは異なり水蒸気（脱着ガス）の流量をＶＯＣ含有ガスの流量に係りなく最適設定することが可能であると共に、エネルギ的な処理効率を従来よりも向上させることができる。
【００３９】
（２）また、従来技術では脱着工程後にパージ工程や冷却工程が必要であったが、吸着工程を吸着室１で行い、脱着工程を脱着室５で行うので、上記パージ工程や冷却工程が不要であり、よって本実施形態によれば、時間的な処理効率を従来よりも向上させることができる。
（３）脱着室５の容積が吸着室１の容積よりも大幅に小さいので、脱着準備工程における加圧及び加熱時間を従来技術と同様に吸着室内で行う場合よりも大幅に短縮することができる。これによっても、時間的な処理効率を従来よりも向上させることができる。
【００４０】
〔第２実施形態〕
図４は、第２実施形態に係るＶＯＣ回収装置Ｂの構成を示す正面図、また図５は本ＶＯＣ回収装置Ｂの側面図、図６は本ＶＯＣ回収装置Ｂの上面図である。上記第１実施形態に係るＶＯＣ回収装置Ａは、吸着室１と脱着室５とを別室として設けるものであるが、本ＶＯＣ回収装置Ｂは、吸着室１の機能と脱着室５の機能とを併せ持つ処理室１０において、ＶＯＣ含有ガスに含まれるＶＯＣの吸着と脱着・回収とを行うものである。
【００４１】
処理室１０は、矩形状の断面を有する上記流路の一部に設けられ、当該流路と連通する直方体状の開放空間である。この処理室１０内には、通気自在な直方体状の容器に収納された粒状の吸着剤１１が流路を完全に塞ぐように収容されている。また、このような処理室１０の入口（吸着剤１１の上流側）にはスライド扉１２が、また出口（吸着剤１１の下流側）にはスライド扉１３が挿入自在に設けられている。スライド扉１２は、前進することによって処理室１０の入口を挿入され、図５に示すように当該入口を完全閉鎖する矩形状の扉である。スライド扉１３は、上記スライド扉１２と同一形状の扉であり、前進することによって処理室１０の出口を完全閉鎖する。
【００４２】
ここで、直方体状の処理室１０には同じく直方体状の吸着剤１１が密に充填されているが、処理室１０の形状（つまり吸着剤１１の形状）は、図４〜図６に示すように、ＶＯＣ含有ガスの通過断面（第１の断面）が脱着ガスの通過断面（第２の断面）よりも大きくなるように設定されている。すなわち、図４に示す処理室１０の矩形形状は、脱着ガスの通過断面（第２の断面）に相当し、図５に示す処理室１０の側面形状は、ＶＯＣ含有ガスの通過断面（第１の断面）に相当し、図４に示す処理室１０の正面形状は脱着ガスの通過断面（第２の断面）に相当するが、第２の断面は、上記第１の断面よりも大幅に小さい面積（断面積）を有する。
【００４３】
本ＶＯＣ回収装置Ｂの吸着工程では、スライド扉１２，１３が後退して吸着剤１１が流路中に露出した状態となる。そして、この状態において、流路中を上流から流れてきたＶＯＣ含有ガスは、吸着剤１１を通過して下流側に流れる際にＶＯＣが吸着剤１１に吸着されて除去される。
【００４４】
一方、本ＶＯＣ回収装置Ｂの脱着工程では、スライド扉１２，１３が前進して吸着剤１１が流路から完全に隔離された状態となる。そして、この状態において、流路とは直行する方向、つまり水平方向から脱着ガスが処理室１０内に供給されて、吸着剤１１に吸着されたＶＯＣが脱着ガスの作用によって脱着される。
【００４５】
すなわち、本ＶＯＣ回収装置Ｂでは、図６の上面図に示すように、吸着剤１１におけるＶＯＣガスの通過方向と脱着ガスの通過方向とが水平面上で直交関係にあり、吸着時にはＶＯＣ含有ガスが吸着剤１１における第１の断面（流路の延在方向に直行する断面）を通過する一方、脱着時には脱着ガスが上記第１の断面よりも大幅に小さい断面積の第２の断面（流路の延在方向に平行な断面）を通過する。
【００４６】
したがって、本実施形態によれば、上述した第１実施形態とは異なり、単一室として設けられた処理室１０において、吸着剤１１における通過面積をＶＯＣ含有ガスよりも脱着ガスの方が大幅に小さく設定することができるので、脱着ガスの流量をＶＯＣ含有ガスの流量に係りなく最適設定することが可能であると共に、エネルギ的な処理効率を従来よりも向上させることができる。
【００４７】
〔第３実施形態〕
図７は、第３実施形態に係るＶＯＣ回収装置Ｃの構成を示す正面図、また図８は、この図７におけるＡ-Ａ矢視図である。なお、これら図７、８では、上述した第１、第２実施形態と同様の構成要素については、同一符号を付している。
【００４８】
第１実施形態に係るＶＯＣ回収装置Ａは、吸着剤１１が吸着剤容器４ａに収容してなる吸着剤充填体４をＶＯＣ含有ガスの流路内で巡回させつつＶＯＣを吸着し、脱着時には吸着剤充填体４を別途設けられた脱着室５に移動させるものであるが、本ＶＯＣ回収装置Ｃは、図７、８に示すように、各々に吸着剤１１が充填された複数枚の平板状容器１５を折畳み自在に連接してなる２つの吸着剤充填体４Ａ1，４Ａ2を備えるものである。
【００４９】
また、各吸着剤充填体４Ａ1，４Ａ2は、ＶＯＣ含有ガスの流路壁（下側壁）に形成された２つの脱着室５Ａ1，５Ａ2に折畳んだ状態で個別に隔離収容されるようになっている。各吸着剤充填体４Ａ1，４Ａ2は、駆動装置１６によって駆動されることにより、開いた状態、折畳んだ状態、また脱着室５Ａ1，５Ａ2への収容状態に状態設定される。
【００５０】
すなわち、本ＶＯＣ回収装置Ｃでは、図７に示すように、一方の吸着剤充填体４Ａ1が駆動装置１６の作動によって開くことによりＶＯＣ含有ガスの流路を複数枚の平板状容器１５で塞ぐ状態とし、このとき他方の吸着剤充填体４Ａ2については、駆動装置１６の作動によって折畳むことにより脱着室５Ａ2に隔離収容する状態とする。そして、この２つの状態を２つの吸着剤充填体４Ａ1，４Ａ2について交互に繰り返すことにより、２つの吸着剤充填体４Ａ1，４Ａ2の一方でＶＯＣを吸着し、同時に脱着ガスを脱着室で上下方向に挿通させることによって吸着剤１１に吸着されたＶＯＣを脱着・回収する。
本ＶＯＣ回収装置Ｃによっても、上述した第１、第２実施形態のＶＯＣ回収装置Ａ、Ｃと同様な効果を奏することが可能である。
【００５１】
ここで、図７、図８に示すように、ＶＯＣの吸着時において吸着剤充填体４Ａ1は、複数枚の平板状容器１５が単一平面を形成する状態ではなく、複数枚の平板状容器１５がある角度をもって折曲がった状態になっている。この状態は、各平板状容器１５がＶＯＣ含有ガスに対して正対、つまりＶＯＣ含有ガスの通過方向に対して直交する状態ではない。すなわち、本ＶＯＣ回収装置Ｃでは、各平板状容器１５をＶＯＣ含有ガスの通過方向に対して直交させないことにより、ＶＯＣ含有ガスの吸着剤１１における通過距離を各平板状容器１５がＶＯＣ含有ガスの通過方向に対して直交する場合よりも長く設定している。このような本ＶＯＣ回収装置Ｃによれば、上記通過距離が長くなる分、ＶＯＣの吸着効率を向上させることが可能である。
【００５２】
本発明は、上記各実施形態に限定されるものではなく、例えば以下のような変形例が考えられる。
（１）上記第１実施形態では、吸着室１の最上部に隣接して１つ脱着室５を設け、上記最上部の位置した吸着剤充填体４のみを脱着室５に移送して脱着処理するようにしたが、吸着室１の最上部に加えて、最下部にも脱着室５を設け、合計２つの脱着室５で並行して脱着処理を行っても良い。
【００５３】
（２）上記第１実施形態では、脱着室５が１本の吸着剤充填体４を収容する形状に設定されているが、脱着室５を複数本（例えば２本）の吸着剤充填体４を収容する形状に形成し、同時に複数本の脱着処理を行うようにしても良い。
（３）上記第１実施形態では、巡回ベルト２Ａの外周側に四角柱形状の吸着剤充填体４を一列に並べる構成と採用したが、吸着剤充填体４の形状や配列方法は、これに限定されない。
（４）吸着剤移送装置６や吸着剤巡回手段の構成は、上記第１実施形態の構成に限定されるものではない。また、脱着ガスも水蒸気に限定されず、また吸着剤も活性炭に限定されない。
【００５４】
（５）上記第１実施形態では、吸着剤充填体４を吸着室１から脱着室５に移送して脱着処理するようにしたが、これに代えて脱着室５を吸着室１内に移動させて１あるいは複数本の吸着剤充填体４を隔離状態として脱着処理するようにしても良い。すなわち、吸着剤移送装置６に代えて、脱着室５を吸着室１内に移送して吸着剤充填体４を収容させる脱着室移送装置を備えるようにしても良い。
【００５５】
（６）また、上記第１実施形態では、吸着剤巡回手段によって吸着剤充填体４を吸着室１内で巡回させるようにしたが、これに代えて脱着室５を巡回自在として、吸着剤充填体４を順次脱着させるようにしても良い。すなわち、脱着室５を吸着剤充填体４の配列方向に沿って一定方向に巡回させる脱着室巡回手段を備え、脱着室５の巡回位置に符合する位置の吸着剤充填体４を順次収容するように脱着室５を移動させるようにしても良い。
【００５６】
（７）上記第３実施形態では、ＶＯＣ含有ガスの流路に２つの吸着剤充填体４Ａ1，４Ａ2を設けたが、本発明はこれに限定されない。さらに多くの吸着剤充填体を設けることによりＶＯＣ含有ガスが複数の吸着剤充填体を通過してＶＯＣがより確実に回収されるようにしても良い。
【００５７】
（８）上記第３実施形態では、各平板状容器１５をＶＯＣ含有ガスの通過方向に対して直交させないようにしたが、直交させるようにしても良い。特に、上述したようにさらに多くの吸着剤充填体を設ける場合には、ＶＯＣ含有ガスの吸着剤１１における通過距離を容易に確保できるので、各平板状容器１５をＶＯＣ含有ガスの通過方向に対して直交させるようにしても良い。
【図面の簡単な説明】
【００５８】
【図１】本発明の第１実施形態に係わるＶＯＣ回収装置Ａの構成を示す正面図である。
【図２】本発明の第１実施形態に係わるＶＯＣ回収装置Ａの構成を示す側面図である。
【図３】本発明の第１実施形態における吸着剤充填体４の構成を示す斜視図である。
【図４】本発明の第２実施形態に係わるＶＯＣ回収装置Ｂの構成を示す正面図である。
【図５】本発明の第２実施形態に係わるＶＯＣ回収装置Ｂの構成を示す側面図である。
【図６】本発明の第２実施形態に係わるＶＯＣ回収装置Ｂの構成を示す上面図である。
【図７】本発明の第３実施形態に係わるＶＯＣ回収装置Ｃの構成を示す正面図である。
【図８】図７におけるＡ-Ａ矢視図である。
【符号の説明】
【００５９】
Ａ，Ｂ，Ｃ…ＶＯＣ回収装置、１…吸着室、２Ａ…巡回ベルト、２Ｂ…スプロケット、３…回転駆動部、４，４Ａ1，４Ａ2…吸着剤充填体、４ａ…吸着剤容器、４ｂ…吸着剤、４ｃ…メッシュ部、５，５Ａ1，５Ａ2…脱着室、６…吸着剤移送装置、７…クラッチドア、８…脱着ガス供給装置、９…圧縮空気供給装置、１０…処理室、１１…吸着剤、１２，１３…スライド扉、１５…平板状容器
【図１】
2009291685.tif 000003
【図２】
2009291685.tif 000004
【図３】
2009291685.tif 000005
【図４】
2009291685.tif 000006
【図５】
2009291685.tif 000007
【図６】
2009291685.tif 000008
【図７】
2009291685.tif 000009
【図８】
2009291685.tif 000010